(57)【要約】【課題】機種の異なる任意のハウジングに使用でき、水中撮影時等に水中カメラ固定用のネジがゆるんでハウジングがベースに対して回転ズレすることなく、ハウジングのベースに対する固定が確実に行えることができる水中カメラ用ベースを提供する。【解決手段】ベース１１は、水中カメラを固定するベース本体１３と、水中カメラが載置され、ハウジング１２の台座１４または脚部の幅方向の移動を規制する凸部２４が設けられ、ベース本体上１３に幅方向に移動可能に配置される移動押さえ板１４を有する。ベース本体１３には、水中カメラ固定ネジ用穴１８と、一対の止めネジ１９Ａ、１９Ｂを幅方向に移動可能に挿通させる止めネジ用長穴２０Ａ、２０Ｂが形成されている。移動押さえ板１４には、水中カメラ固定ネジ１６を幅方向に移動可能に挿通させる長穴２２と、止めネジ２０Ａ、２０Ｂと噛合するネジ穴２３Ａ、２３Ｂが形成されている。【選択図】図５
2010101971.tif 000002
【特許請求の範囲】
【請求項１】
ストロボライティングを行うときに、防水カメラハウジング内にカメラを収容した水中カメラを載置固定するとともに、先端に外部ストロボを設けたアームを取り付けるために用いる水中カメラ用ベースであって、
水中カメラを固定する部位が細長い板状体に形成されたベース本体と、
水中カメラが載置され、表面側の幅方向の一端部に防水カメラハウジングの台座または脚部の幅方向の移動を規制する凸部が設けられ、ベース本体上に幅方向に移動可能に配置される移動押さえ板と、
ベース本体に移動押さえ板を取り付けるための一対の止めネジと、
水中カメラの固定のための水中カメラ固定ネジを有し、
ベース本体には、水中カメラ固定ネジの軸部のみを挿通させる水中カメラ固定ネジ用穴と、水中カメラ固定ネジ用穴の両側にベース本体の幅方向に沿って設けられ、一対の止めネジの軸部のみをベース本体の幅方向に移動可能に挿通させる一対の止めネジ用長穴が形成され、
移動押さえ板には、水中カメラ固定ネジの軸部を幅方向に移動可能に挿通させる水中カメラ固定ネジ用長穴と、一対の止めネジと噛合する止めネジ固定用ネジ穴が形成されていることを特徴とする水中カメラ用ベース。
【請求項２】
ベース本体に移動押さえ板を幅方向両側からガイドするガイド部が設けられていることを特徴とする請求項１に記載の水中カメラ用ベース。
【請求項３】
ベース本体上に、移動押さえ板の両側に設けられる一対の補助移動押さえ板を有し、
この一対の補助移動押さえ板は、表面側の幅方向の一端部に凸部をそれぞれ備え、さらにベース本体の幅方向に設けられた長穴に挿通された止めネジにより幅方向位置が調整可能であり、一対の補助移動押さえ板の凸部の内壁により防水カメラハウジングの脚部を挟みこむようにして固定しうることを特徴とする請求項１または２に記載の水中カメラ用ベース。
【請求項４】
一対の補助移動押さえ板は、裏面側の幅方向の一端部の内側寄りに凸部をそれぞれ備え、一対の補助移動押さえ板を反転させてベース本体に取り付けた状態で、一対の補助移動押さえ板の裏面側の凸部の外壁で防水カメラハウジングの脚部を押し広げるようにして固定しうることを特徴とする請求項３に記載の水中カメラ用ベース。
【請求項５】
ベース本体上に一対の補助移動押さえ板を幅方向両側からガイドするガイド部がそれぞれ設けられていることを特徴とする請求項３または４に記載の水中カメラ用ベース。
【請求項６】
ベース本体の長手方向の少なくとも一端部にアームを取り付けるためのアーム取付部が形成されていることを特徴とする請求項１ないし５のいずれか一項に記載の水中カメラ用ベース。
【請求項７】
ベース本体の長手方向の少なくとも一端部にグリップを介してアームを取り付けるためのグリップ取付部が形成されていることを特徴とする請求項１ないし５のいずれか一項に記載の水中カメラ用ベース。
【請求項８】
ベース本体とグリップが一体に形成されていることを特徴とする請求項７に記載の水中カメラ用ベース。
【請求項９】
ストロボライティングを行うときに、防水カメラハウジング内にカメラを収容した水中カメラを載置固定するとともに、先端に外部ストロボを設けたアームを取り付けるために用いる水中カメラ用ベースであって、
水中カメラを固定する部位が細長い板状体に形成され、表面側の幅方向の一端部に防水カメラハウジングの台座の幅方向の移動を規制する凸部が設けられたベース本体と、
ベース本体上に幅方向に移動可能に配置され、表面側の幅方向の一端部に凸部をそれぞれ備えた一対の移動押さえ板と、
ベース本体に一対の移動押さえ板をそれぞれ取り付けるための止めネジと、
水中カメラの固定のための水中カメラ固定ネジを有し、
ベース本体には、水中カメラ固定ネジの軸部のみをベース本体の幅方向に移動可能に挿通させる水中カメラ固定ネジ用長穴と、水中カメラ固定ネジ用長穴の両側にベース本体の幅方向に沿って設けられ、止めネジの軸部のみをベース本体の幅方向に移動可能に挿通させる止めネジ用長穴がそれぞれ形成され、
移動押さえ板には、止めネジと噛合する止めネジ固定用ネジ穴がそれぞれ形成され、
移動押さえ板の凸部の内壁とにより防水カメラハウジングの脚部を挟みこむようにして固定しうることを特徴とする水中カメラ用ベース。
【請求項１０】
ベース本体に移動押さえ板を幅方向両側からガイドするガイド部が設けられていることを特徴とする請求項９に記載の水中カメラ用ベース。
【請求項１１】
一対の移動押さえ板は、裏面側の幅方向の一端部の内側寄りに凸部をそれぞれ備え、一対の移動押さえ板を反転させてベース本体に取り付けた状態で、一対の移動押さえ板の裏面側の凸部の外壁で防水カメラハウジングの脚部を押し広げるようにして固定しうることを特徴とする請求項９または１０に記載の水中カメラ用ベース。
【請求項１２】
ベース本体の長手方向の少なくとも一端部にアームを取り付けるためのアーム取付部が形成されていることを特徴とする請求項９ないし１１のいずれか一項に記載の水中カメラ用ベース。
【請求項１３】
ベース本体の長手方向の少なくとも一端部にグリップを介してアームを取り付けるためのグリップ取付部が形成されていることを特徴とする請求項９ないし１１のいずれか一項に記載の水中カメラ用ベース。
【請求項１４】
ベース本体とグリップが一体に形成されていることを特徴とする請求項１３に記載の水中カメラ用ベース。
【請求項１５】
一対の移動押さえ板の凸部同士を連結する凸部が設けられ、この凸部と一対の移動押さえ板の凸部と、ベース本体の凸部により防水カメラハウジングの固定が行われることを特徴とする請求項９ないし１４のいずれか一項に記載の水中カメラ用ベース。
【発明の詳細な説明】
【技術分野】
【０００１】
本発明は、ストロボライティングを行うときに、防水カメラハウジング内にカメラを収容した水中カメラを載置固定するとともに、先端に外部ストロボを設けたアームを取り付けるために用いる水中カメラ用ベースに関するものである。
【背景技術】
【０００２】
水中でのカメラ撮影では、光量が不足することがあり、その場合、外部ストロボが使用される。また、水中には砂粒などの小さなゴミや、プランクトン等が浮遊しているため、写真にゴミ等が目立たないように撮影するため、外部ストロボを水中カメラ（カメラを防水カメラハウジング内に収容したものの通称）から十数ｃｍから数十ｃｍ離間して配置する。そのため、水中カメラをベースに固定するとともに、外部ストロボをアームの先端に設け、ベースとアームとを連結することが行われている（例えば、特許文献１）。このベースは、防水カメラハウジングの底にネジ止めする板状のパーツである。場合によっては、アームとベースの間にグリップを介在させることもある。
【０００３】
なお、本明細書では、カメラを防水カメラハウジング内に収容したものを「水中カメラ」と称する。
【０００４】
図１は、従来の汎用の水中カメラ用ベースの構造を示す斜視図であり、図２は、その水中カメラ用ベース（以下、ベースとも称する）に水中カメラを取り付ける様子を示す斜視図である。なお、便宜上、図１及び図２ではカメラ本体は図示を省略してあり、図２ではアームは図示を省略してある。
【０００５】
これらの図において、１はベース、２は防水カメラハウジング（以下、ハウジングとも称する）、３はアームである。ハウジング２の底部にはベース１への固定のための台座４が設けられ、この台座４には水中カメラ固定ネジ５によりネジ止めするためのネジ穴６が形成されている。また、ハウジング２の底部の左右両側には水中カメラを安定させるための脚部７Ａ、７Ｂが設けられている。
【０００６】
一方、ベース１は、使用するハウジング２の機種に応じて水中カメラ固定ネジ５の軸部（ネジ部とそれに続く円筒部を合わせた部分、以下同様）のみを幅方向に移動自在に挿通させる長穴８が形成されている。また、ベース１の幅方向の一端部には、ハウジング２の位置合わせのための所要長さの凸部９が設けられている。
【０００７】
このような構成のベース１にハウジング２を固定する場合、例えば先ず、ベース１の下方から長穴８に水中カメラ固定ネジ５の軸部を挿通させる。そして、ハウジング２のネジ穴６に軽く水中カメラ固定用ネジ５の先端をネジ込んだ状態でハウジング２をベース１の幅方向に移動させ、脚部７Ａ、７Ｂの後壁をベース１の凸部９に押し当て、ハウジング２の位置決めを行う。位置決め後、水中カメラ固定ネジ５をネジ穴６に完全にネジ込み、固定を行う。その固定状態が図１のようになる。
【０００８】
また、ハウジング２は、前後逆にして固定することもできる。その様子を図３に示す。この場合、ハウジング２の台座４の前壁がベース１の凸９部に当接し、ハウジング２が位置決めされて、上記と同様にして固定が行われる。
【０００９】
上記のように、位置決めを行う理由は、使用するカメラの機種によりハウジング２の構造も異なり、ネジ穴６とベース１の凸部９または台座４の前壁との間の距離が異なるからである。汎用のベース１として用いるためには、ハウジング２の機種に応じて上記距離を調整できることが必要である。
【特許文献１】特開平１１−２３７６８８号公報
【発明の開示】
【発明が解決しようとする課題】
【００１０】
しかしながら、上記従来の汎用のベース１には次のような問題点があった。すなわち、水中ではハウジング２を持って水中撮影を行うが、ストロボライティングを行う場合、被写体に合わせて外部ストロボの位置を変える必要がある。この操作は、ベース１に固定されたアーム３の先端に取り付けた外部ストロボの角度を変えることにより行われる。ところが、その操作を行う場合、アーム３とその先端に取り付けた外部ストロボの重量はかなりの重さであるため、テコの原理が働き、図４に示すように、ハウジング２はベース１の凸部９に当たっている脚部７Ａ、７Ｂまたは台座４を中心に、ベース１に対して簡単に回転ズレしてしまう。ハウジング２が回転すると、ベース１の底面に接触している水中カメラ固定ネジ５もその分、回転し、ゆるくなり、さらに、取り付けたハウジング２が回転しやすくなる、という悪循環が始まる。
【００１１】
このため、最近では、ハウジング２が回転ズレしないように、ベース１の表面でハウジング２の台座４の底部が当たる部分を、ゴム質の滑りにくくする材料からなるシートを貼り付けることもが提案されているが、アーム３とその先端に取り付けた外部ストロボの重量はかなり重いため、確実に回転を防止するためには不十分であった。この回転ズレは、水中撮影への専念の妨げになることがあり、改善が望まれていた。
【００１２】
また、水中撮影の際、撮影機器を持ってダイビングしている間、ゆるんだネジをしばしば回し締めする必要があり、ダイビング中、かなりのストレスを与えることになっていた。
【００１３】
本発明は、このような従来技術の問題点を解消し、機種の異なる任意のハウジングに使用でき、水中撮影時やダイビングしている間に水中カメラ固定用のネジがゆるんでハウジングがベースに対して回転ズレすることなく、ハウジングのベースに対する固定が確実に行えることができる水中カメラ用ベースを提供することを課題とする。
【課題を解決するための手段】
【００１４】
本発明によれば、上記課題を解決するため、第１に、ストロボライティングを行うときに、防水カメラハウジング内にカメラを収容した水中カメラを載置固定するとともに、先端に外部ストロボを設けたアームを取り付けるために用いる水中カメラ用ベースであって、水中カメラを固定する部位が細長い板状体に形成されたベース本体と、水中カメラが載置され、表面側の幅方向の一端部に防水カメラハウジングの台座または脚部の幅方向の移動を規制する凸部が設けられ、ベース本体上に幅方向に移動可能に配置される移動押さえ板と、ベース本体に移動押さえ板を取り付けるための一対の止めネジと、水中カメラの固定のための水中カメラ固定ネジを有し、ベース本体には、水中カメラ固定ネジの軸部のみを挿通させる水中カメラ固定ネジ用穴と、水中カメラ固定ネジ用穴の両側にベース本体の幅方向に沿って設けられ、一対の止めネジの軸部のみをベース本体の幅方向に移動可能に挿通させる一対の止めネジ用長穴が形成され、移動押さえ板には、水中カメラ固定ネジの軸部を幅方向に移動可能に挿通させる水中カメラ固定ネジ用長穴と、一対の止めネジと噛合する止めネジ固定用ネジ穴が形成されていることを特徴とする水中カメラ用ベースを提供する。
【００１５】
また、第２には、上記第１の発明において、ベース本体に移動押さえ板を幅方向両側からガイドするガイド部が設けられていることを特徴とする水中カメラ用ベースを提供する。
【００１６】
また、第３には、上記第１または第２の発明において、移動押さえ板の両側に設けられる一対の補助移動押さえ板を有し、この一対の補助移動押さえ板は、表面側の幅方向の一端部に凸部をそれぞれ備え、さらにベース本体の幅方向に設けられた長穴に挿通された止めネジにより幅方向位置が調整可能であり、一対の補助移動押さえ板の凸部の内壁により防水カメラハウジングの脚部を挟みこむようにして固定しうることを特徴とする水中カメラ用ベースを提供する。
【００１７】
また、第４には、上記第３の発明において、一対の補助移動押さえ板は、裏面側の幅方向の一端部の内側寄りに凸部をそれぞれ備え、一対の補助移動押さえ板を反転させてベース本体に取り付けた状態で、一対の補助移動押さえ板の裏面側の凸部の外壁で防水カメラハウジングの脚部を押し広げるようにして固定しうることを特徴とする水中カメラ用ベースを提供する。
【００１８】
また、第５には、上記第３または第４の発明において、ベース本体上に一対の補助移動押さえ板を幅方向両側からガイドするガイド部がそれぞれ設けられていることを特徴とする水中カメラ用ベースを提供する。
【００１９】
また、第６には、上記第１ないし第５のいずれかの発明において、ベース本体の長手方向の少なくとも一端部にアームを取り付けるためのアーム取付部が形成されていることを特徴とする水中カメラ用ベースを提供する。
【００２０】
また、第７には、上記第１ないし第５のいずれかの発明において、ベース本体の長手方向の少なくとも一端部にグリップを介してアームを取り付けるためのグリップ取付部が形成されていることを特徴とする水中カメラ用ベースを提供する。
【００２１】
また、第８には、上記第７の発明において、ベース本体とグリップが一体に形成されていることを特徴とする水中カメラ用ベースを提供する。
【００２２】
また、本発明によれば、第９には、ストロボライティングを行うときに、防水カメラハウジング内にカメラを収容した水中カメラを載置固定するとともに、先端に外部ストロボを設けたアームを取り付けるために用いる水中カメラ用ベースであって、水中カメラを固定する部位が細長い板状体に形成され、表面側の幅方向の一端部に防水カメラハウジングの台座の幅方向の移動を規制する凸部が設けられたベース本体と、ベース本体上に幅方向に移動可能に配置され、表面側の幅方向の一端部に凸部をそれぞれ備えた一対の移動押さえ板と、ベース本体に一対の移動押さえ板をそれぞれ取り付けるための止めネジと、水中カメラの固定のための水中カメラ固定ネジを有し、ベース本体には、水中カメラ固定ネジの軸部のみをベース本体の幅方向に移動可能に挿通させる水中カメラ固定ネジ用長穴と、水中カメラ固定ネジ用長穴の両側にベース本体の幅方向に沿って設けられ、止めネジの軸部のみをベース本体の幅方向に移動可能に挿通させる止めネジ用長穴がそれぞれ形成され、移動押さえ板には、止めネジと噛合する止めネジ固定用ネジ穴がそれぞれ形成され、移動押さえ板の凸部の内壁とにより防水カメラハウジングの脚部を挟みこむようにして固定しうることを特徴とする水中カメラ用ベース。
【００２３】
また、第１０には、上記第９の発明において、ベース本体に移動押さえ板を幅方向両側からガイドするガイド部が設けられていることを特徴とする水中カメラ用ベースを提供する。
【００２４】
また、第１１には、上記第９または第１０の発明において、一対の移動押さえ板は、裏面側の幅方向の一端部の内側寄りに凸部をそれぞれ備え、一対の移動押さえ板を反転させてベース本体に取り付けた状態で、一対の移動押さえ板の裏面側の凸部の外壁で防水カメラハウジングの脚部を押し広げるようにして固定しうることを特徴とする水中カメラ用ベースを提供する。
【００２５】
また、第１２には、上記第９ないし第１１のいずれかの発明において、ベース本体の長手方向の少なくとも一端部にアームを取り付けるためのアーム取付部が形成されていることを特徴とする水中カメラ用ベースを提供する。
【００２６】
また、第１３には、上記第９ないし第１１のいずれかの発明において、ベース本体の長手方向の少なくとも一端部にグリップを介してアームを取り付けるためのグリップ取付部が形成されていることを特徴とする水中カメラ用ベースを提供する。
【００２７】
また、第１４には、上記第１３の発明において、ベース本体とグリップが一体に形成されていることを特徴とする水中カメラ用ベースを提供する。
【００２８】
さらに、第１５には、上記第９ないし第１４のいずれかの発明において、一対の移動押さえ板の凸部同士を連結する凸部が設けられ、この凸部と一対の移動押さえ板の凸部と、ベース本体の凸部により防水カメラハウジングの固定が行われることを特徴とする水中カメラ用ベースを提供する。
【発明の効果】
【００２９】
本発明によれば、上記構成を採用したので、機種の異なる任意のハウジングに使用でき、水中撮影時やダイビングしている間に水中カメラ固定用のネジがゆるんでハウジングがベースに対して回転ズレすることなく、ハウジングのベースに対する固定が確実に行えることができる水中カメラ用ベースを提供することが可能になる。そして、本発明による水中カメラ用ベースは、個々のハウジング専用のベースといえるほど、がたつきがなく、ハウジングがベースに固定されたものであり、水中撮影やダイビングへの専念を可能とする。
【発明を実施するための最良の形態】
【００３０】
以下、本発明による水中カメラ用ベースの実施形態について詳細に説明する。
【００３１】
図５は、本発明による第１実施形態の水中カメラ用ベースの構造を説明するための斜視図、図６は、同ベースを下側から見た分解斜視図、図７は、同ベースを上側から見た分解斜視図である。ここではベースにグリップを介してアームを取り付ける場合を例に説明する。なお、便宜上、図７ではカメラ本体は図示を省略してあり、図５ないし図７では、グリップ及びアームの図示は省略してある。
【００３２】
図中１１はベース、１２は防水カメラハウジング（ハウジング）である。ベース１１は、細長い板状体のベース本体１３と、該ベース本体１３より長手方向に短尺な板状体の移動押さえ板１４を有する。
【００３３】
ハウジング１２の底部にはベース１１への固定のための台座１５が設けられ、この台座１５のほぼ中央付近には、水中カメラ固定ネジ１６によりネジ止めするための水中カメラ固定用ネジ穴１７が形成されている。このネジ穴１７は三脚ネジ穴であってもよい。
【００３４】
ベース本体１３には、水中カメラ固定ネジ１６の軸部のみを挿通させる円形の水中カメラ固定ネジ用穴１８が形成されており、この水中カメラ固定ネジ用穴１８の長手方向両側には、一対の止めネジ１９Ａ、１９Ｂの軸部のみをベース本体１３の幅方向に移動可能に挿通させる一対の止めネジ用長穴２０Ａ、２０Ｂがベース本体１３の幅方向に延びるように形成されている。また、ベース本体１３の長手方向両端には、グリップを取り付けるためのネジ穴２１Ａ、２１Ｂが形成されている。
【００３５】
一方、移動押さえ板１４のほぼ中央には、水中カメラ固定ネジ１６の軸部を幅方向に移動可能に挿通させる水中カメラ固定ネジ用長穴２２が幅方向に延びるように形成されており、この水中カメラ固定ネジ用長穴２２の長手方向両側には、一対の止めネジ１９Ａ、１９Ｂをネジ止めするための円形の一対の止めネジ固定用ネジ穴２３Ａ、２３Ｂが形成されている。ベース本体１３に形成された水中カメラ固定ネジ用穴１８、一対の止めネジ用長穴２０Ａ、２０Ｂと、移動押さえ板１４に形成された水中カメラ固定ネジ用長穴２２、一対の止めネジ固定用ネジ穴２３Ａ、２３Ｂとの長手方向における位置関係はそれぞれ対応している。移動押さえ板１４の表面の幅方向の一端部にはハウジング１２の台座１５の前壁と当接し、位置決めを行うための凸部２４が長手方向に延びて形成されている。
【００３６】
上記構成のベース１１へのハウジング１２の固定は、例えば次のようにして行う。すなわち、先ず、ベース本体１３の下側から止めネジ１９Ａの軸部を止めネジ用長穴２０Ａに挿通させ、移動押さえ板１４の下方の止めネジ固定用ネジ穴２３Ａにネジ込み、仮止めする。同様にして、ベース本体１３の下側から止めネジ１９Ｂの軸部を止めネジ用長穴２０Ｂに挿通させ、移動押さえ板１４の下方の止めネジ固定用ネジ穴２３Ｂにネジ込み、仮止めする。この仮止めにより、移動押さえ板１４はベース本体１３上に幅方向に移動可能に固定されることになる。この状態では、一対の止めネジ１９Ａ、１９Ｂの頭部がベース本体１３の裏面に接触し、一対の止めネジ１９Ａ、１９Ｂの軸部は一対の止めネジ用長穴２０Ａ、２０Ｂにより長手方向の動きは規制されるとともに、幅方向には移動自在となる。
【００３７】
次に、ハウジング１２を移動押さえ板１４の上に載置し、移動押さえ板１４を幅方向にスライドさせ、台座１５の前方壁を凸部２５に当接させる。そして、ベース本体１３の下方より、水中カメラ固定ネジ１６の軸部を、ベース本体１３の水中カメラ固定ネジ用穴１８、移動押さえ板１４の水中カメラ固定ネジ用長穴２２にそれぞれ挿通させる。そして、水中カメラ固定ネジ１６の軸とハウジング１２の台座１５の水中カメラ固定用ネジ穴１７の軸の位置が一致した状態で水中カメラ固定ネジ１６を完全にネジ止めするとともに、一対の止めネジ１９Ａ、１９Ｂを完全にネジ止めする。すると、ハウジング１２は、幅方向の移動は移動押さえ板１４の凸部２４と水中カメラ固定ネジ１６で規制され、長手方向の移動は一対の止めネジ１９Ａ、１９Ｂが止めネジ用長穴２０Ａ、２０Ｂに入り込んでいることにより規制され、回転ズレの生じない確実な固定を行うことができる。
【００３８】
上記実施形態では、ハウジング１２が台座１５を有し、脚部を持たない例について説明したが、本発明は、もちろん脚部を持つ場合に適用できることはいうまでもない。
【００３９】
また、上記実施形態では、グリップを用いる場合を例にしたが、もちろん直接アームを取り付ける構成としてもよい。
【００４０】
次に、本発明による第２実施形態の水中カメラ用ベースについて述べる。図８は、第２実施形態の水中カメラ用ベースの構造を説明するための下から見た分解斜視図、図９は、ハウジングを同ベースに取り付けた状態を示す斜視図である。図８及び図９において、第１実施形態を説明するための図５ないし図７に示す部材と同様な部材には同じ符号を付してある。ここではベースにグリップを介してアームを取り付ける場合を例に説明する。なお、便宜上、図８及び図９ではカメラ本体は図示を省略してある。
【００４１】
本実施形態のベース１１は、第１実施形態と同様、細長い板状体のベース本体１３と、該ベース本体１３より長手方向に短尺な板状体の移動押さえ板１４を有する。
【００４２】
本実施形態のベース本体１３には、移動押さえ板１４の形状と相補的な形状を有するガイド溝２５が形成されており、このガイド溝２５の両壁面に移動押さえ板１４がガイドされ、幅方向に移動可能となっている。その他の構成は第１実施形態と同様である。なお、図９はグリップ２６を取り付けた状態も示している。
【００４３】
このような構成であると、第１実施形態のベース１１による利点に加え、ハウジング１２を位置決めする際の移動押さえ板１４の前後方向の移動がガイド溝２５でガイドされるため、止めネジ１９Ａ、１９Ｂと止めネジ用長穴２０Ａ、２０Ｂとの寸法合せを厳密に行わなくても移動押さえ板１４の長手方向の移動がガタつきなく規制できる利点がある。また、取り付け操作も容易になる利点ある。
【００４４】
次に、本発明による第３実施形態の水中カメラ用ベースについて述べる。図１０は、第３実施形態の水中カメラ用ベースの構造を説明するための下から見た斜視図でハウジングをベースに取り付ける前の様子を示す図、図１１は、同ベースを上から見た斜視図でハウジングをベースに取り付けた状態を示す図である。図１０及び図１１において、第１実施形態を説明するための図５ないし図７に示す部材及び第２実施形態を説明するための図８、図９に示す部材と同様な部材には同じ符号を付してある。なお、便宜上、図１０及び図１１ではカメラ本体は図示を省略してある。
【００４５】
本実施形態のベース１１は、ハウジング１２が底部に台座１５の他に脚部２７Ａ、２７Ｂを有する構造のものに対して好ましく使用できる。本実施形態のベース１１は、細長い板状体のベース本体１３と、該ベース本体１３より長手方向に短尺な板状体の移動押さえ板１４を有することに加え、一対の補助移動押さえ板２８Ａ、２８Ｂを有する。そのため、ベース本体１３には、止めネジ２９Ａ、２９Ｂの軸部を幅方向に移動可能に挿通させるための止めネジ用長穴３０Ａ、３０Ｂが、止めネジ用長穴２０Ａ、２０Ｂの両側にそれぞれ幅方向に延びるように形成される。また、ベース本体１３には、移動押さえ板１４の形状と相補的な形状を有するガイド溝２５が形成されるとともに、さらにその両側に補助移動押さえ板２８Ａ、２８Ｂの形状と相補的な形状のガイド溝３１Ａ、３１Ｂがそれぞれ形成されている。そして、これらのガイド溝３１Ａ、３１Ｂの両壁面に補助移動押さえ板２８Ａ、２８Ｂがそれぞれガイドされ、幅方向に移動可能になっている。また、補助移動押さえ板２８Ａ、２８Ｂの表面側の一側端には凸部３２Ａ、３２Ｂがそれぞれ形成されるとともに、裏面側には止めネジ２９Ａ、２９Ｂをネジ止めするための図示しない円形の止めネジ固定用ネジ穴がそれぞれ形成されている。補助移動押さえ板２８Ａ、２８Ｂの長手方向の長さは移動押さえ板１４の長手方向の長さより短くなっている。補助移動押さえ板２８Ａ、２８Ｂは、凸部３２Ａ、３２Ｂが移動押さえ板１４の凸部２４と反対側となるように配置される。そして、ハウジング１２は、補助移動押さえ板２８Ａ、２８Ｂの凸部３２Ａ、３２Ｂの前壁で脚部２７Ａ、２７Ｂが挟み込まれるようにして固定される。
【００４６】
このような構成であると、前述の利点に加え、より一層強固な固定が行える利点があり、特にハウジング１２が大型になると顕著な有利性を発揮する。
【００４７】
図１２は、大型のハウジング１２に使用して好適なベース１１を示す。この例では、一対の補助移動押さえ板２８A、２８Ｂは、裏面側の幅方向の一端部の内側寄りに凸部３３Ａ、３３Ｂをそれぞれ備え、一対の補助移動押さえ板２８Ａ、２８Ｂを反転させてベース本体１３に取り付けた状態で、一対の補助移動押さえ板２８Ａ、２８Ｂの裏面側の凸部３３Ａ、３３Ｂの外壁でハウジング１２の脚部２７Ａ，２７Ｂを押し広げるようにして固定できるようになっている。
【００４８】
一対の補助移動押さえ板２８Ａ、２８Ｂに設けられる止めネジ固定用ネジ穴は、凸部３２Ａ、３２Ｂと、凸部３３Ａ、３３Ｂのいずれも使用できるように貫通穴であることが望ましい。
【００４９】
また、図１３は、ベース１１とグリップ３４を一体化した例である。使用する外部ストロボの種類や大きさ、用途等に応じて利用者が適宜選択して利用することができる。
【００５０】
次に、本発明による第４実施形態の水中カメラ用ベースについて述べる。図１４は、第４実施形態の水中カメラ用ベースの構造を説明するための斜視図、図１５は、同ベースを上側から見た分解斜視図である。ここではベースにグリップを介してアームを取り付ける場合を例に説明する。なお、便宜上、図１５ではカメラ本体は図示を省略してあり、図１４及び図１５では、グリップ及びアームの図示は省略してある。
【００５１】
図中１１はベース、１２は防水カメラハウジング（ハウジング）である。ベース１１は、細長い板状体のベース本体１３と、該ベース本体１３より長手方向に短尺な板状体の一対の移動押さえ板４１Ａ、４１Ｂを有する。
【００５２】
ハウジング１２の底部にはベース１１への固定のための台座１５と脚部２７Ａ、２７Ｂが設けられ、この台座１５のほぼ中央付近には、水中カメラ固定ネジ１６によりネジ止めするための水中カメラ固定用ネジ穴１７が形成されている。このネジ穴１７は三脚ネジ穴であってもよい。
【００５３】
ベース本体１３には、水中カメラ固定ネジ１６の軸部のみをベース本体１３の幅方向に移動可能に挿通させる水中カメラ固定ネジ用長穴４２が形成されている。また、ベース本体１３の長手方向両側には、一対の移動押さえ板４１Ａ、４１Ｂの形状と相補的な形状を有するガイド溝４３Ａ、４３Ｂが形成され、これらガイド溝４３Ａ、４３Ｂには止めネジ１９Ａ、１９Ｂの軸部のみをベース本体１３の幅方向に移動可能に挿通させる止めネジ用長穴３０Ａ、３０Ｂがベース本体１３の幅方向に延びるように形成されている。また、ベース本体１３の長手方向両端には、グリップを取り付けるためのネジ穴２１Ａ、２１Ｂが形成されている。
【００５４】
一方、移動押さえ板４１Ａ、４１Ｂには、止めネジ１９Ａ、１９Ｂをネジ止めするための円形の止めネジ固定用ネジ穴４４Ａ、４４Ｂがそれぞれ形成されている。移動押さえ板４１Ａ、４１Ｂの表面の幅方向の一端部にはハウジング１２の台座１５の前壁と当接し、位置決めを行うための凸部４５Ａ、４５Ｂが長手方向に延びて形成されている。そして、ハウジング１２は、移動押さえ板４１Ａ、４１Ｂの凸部４５Ａ、４５Ｂの前壁で脚部２７Ａ、２７Ｂを挟み込まれるようにして固定される。さらに、移動押さえ板４１Ａ、４１Ｂの裏面の幅方向の一端部の内側寄りにはハウジング１２の脚部２７Ａ、２７Ｂの前壁と当接し、位置決めを行うための凸部４６Ａ、４６Ｂが長手方向に延びて形成されている。この凸部４６Ａ、４６Ｂを利用して固定を行う場合、移動押さえ板４１Ａ、４１Ｂは上下反転させて使用する。そして、ハウジング１２は、移動押さえ板４１Ａ、４１Ｂの凸部４６Ａ、４６Ｂの後壁で脚部２７Ａ、２７Ｂを押し広げるようにして固定される。
【００５５】
一対の移動押さえ板４１Ａ、４１Ｂに設けられる止めネジ固定用ネジ穴４４Ａ、４４ＢＢは、凸部４５Ａ、４５Ｂと、凸部４６Ａ、４６Ｂのいずれも使用できるように貫通穴であることが望ましい。図１６は、大型のハウジング１２を固定した様子を示している。
【００５６】
次に、本発明による第５実施形態の水中カメラ用ベースについて述べる。図１７は、第５実施形態の水中カメラ用ベースの構造を説明するための斜視図、図１８は、同ベースを上側から見た分解斜視図である。ここではベースにグリップを介してアームを取り付ける場合を例に説明する。なお、便宜上、図１８ではカメラ本体は図示を省略してあり、図１７及び図１８では、グリップ及びアームの図示は省略してある。
【００５７】
図中１１はベース、１２は防水カメラハウジング（ハウジング）である。ベース１１は、細長い板状体のベース本体１３と、該ベース本体１３より長手方向に短尺な板状体の一対の移動押さえ板４１Ａ、４１Ｂを有する。
【００５８】
本実施形態のベース１１では、第４実施形態の一対の移動押さえ板４１Ａ、４１Ｂを連結部４７により連結した構造となっている。そして連結部４７の表面と裏面にはそれぞれ凸部４８、４９が設けられているが、いずれか一方のみでもよい。この連結部４７以外の構成は第４実施形態のベース１１と同様である。
【００５９】
この実施形態のベース１１では、凸部４８で台座１５を押し付けるようにして固定が行われるが、もちろんハウジング１２の配置を前後逆にして、前述のような固定の仕方も可能である。
【００６０】
このような構成によっても、ハウジング１２をベース１１に対して回転ズレすることなく、固定が確実に行えるようになる。
【００６１】
また、図１９は大型のハウジング１２を固定した様子を示している。
【００６２】
以上、本発明をいくつかの実施形態に基づいて説明してきたが、本発明は上記実施形態に限定されず、種々の変形、変更を行うことができることは云うまでもない。
【図面の簡単な説明】
【００６３】
【図１】従来の汎用の水中カメラ用ベースの構造を示す斜視図である。
【図２】図１の水中カメラ用ベースに水中カメラを取り付ける様子を示す斜視図である。
【図３】ハウジングの向きを逆にして図１の水中カメラ用ベースに取り付ける様子を示す斜視図である。
【図４】ハウジングが回転ズレを起こす様子を示す斜視図である。
【図５】本発明による第１実施形態の水中カメラ用ベースの構造を説明するための斜視図である。
【図６】図５の水中カメラ用ベースを下側から見た分解斜視図である。
【図７】図５の水中カメラ用ベースを上側から見た分解斜視図である。
【図８】本発明による第２実施形態の水中カメラ用ベースの構造を説明するための下から見た分解斜視図である。
【図９】ハウジングを図８の水中カメラ用ベースに取り付けた状態を示す斜視図である。
【図１０】本発明による第３実施形態の水中カメラ用ベースの構造を説明するための下から見た分解斜視図である。
【図１１】図１０の水中カメラ用ベースを上から見た斜視図である。
【図１２】大型のハウジングに用いて好適な水中カメラ用ベースを示す斜視図である。
【図１３】グリップと一体化された水中カメラ用ベースを示す斜視図である。
【図１４】本発明による第４実施形態の水中カメラ用ベースの構造を説明するための斜視図である。
【図１５】図１４の水中カメラ用ベースを上側から見た分解斜視図である。
【図１６】大型のハウジングを固定した様子を示す斜視図である。
【図１７】本発明による第５実施形態の水中カメラ用ベースの構造を説明するための斜視図である。
【図１８】図１７の水中カメラ用ベースを上側から見た分解斜視図である。
【図１９】大型のハウジングを固定した様子を示す斜視図である。
【符号の説明】
【００６４】
１１    ベース
１２    ハウジング
１３    ベース本体
１４    移動押さえ板
１５    台座
１６    水中カメラ固定ネジ
１７    水中カメラ固定用ネジ穴
１８    水中カメラ固定ネジ用穴
１９Ａ、１９Ｂ    止めネジ
２０Ａ、２０Ｂ    止めネジ用長穴
２１Ａ、２１Ｂ    グリップ固定用ネジ穴
２２    水中カメラ固定ネジ用長穴
２３Ａ、２３Ｂ    止めネジ固定用ネジ穴
２４    凸部
２５    ガイド溝
２６    グリップ
２７Ａ、２７Ｂ    脚部
２８Ａ、２８Ｂ    補助移動押さえ板
２９Ａ、２９Ｂ    止めネジ
３０Ａ、３０Ｂ    止めネジ用長穴
３１Ａ、３１Ｂ    ガイド溝
３２Ａ、３２Ｂ、３３Ａ、３３Ｂ    凸部
３４    グリップ
４１Ａ、４１Ｂ    移動押さえ板
４２    水中カメラ固体ネジ用長穴
４３Ａ、４３Ｂ    ガイド溝
４４Ａ、４４Ｂ    止めネジ用長穴
４５Ａ、４５Ｂ、４６Ａ、４６Ｂ    凸部
４７    連結部
４８、４９    凸部
【図１】
2010101971.tif 000003
【図２】
2010101971.tif 000004
【図３】
2010101971.tif 000005
【図４】
2010101971.tif 000006
【図５】
2010101971.tif 000007
【図６】
2010101971.tif 000008
【図７】
2010101971.tif 000009
【図８】
2010101971.tif 000010
【図９】
2010101971.tif 000011
【図１０】
2010101971.tif 000012
【図１１】
2010101971.tif 000013
【図１２】
2010101971.tif 000014
【図１３】
2010101971.tif 000015
【図１４】
2010101971.tif 000016
【図１５】
2010101971.tif 000017
【図１６】
2010101971.tif 000018
【図１７】
2010101971.tif 000019
【図１８】
2010101971.tif 000020
【図１９】
2010101971.tif 000021